(57)【要約】  ケーブルと回路基板との間の接続の信頼性を向上することができるケーブル、このケーブルを基板に接続するケーブル接続構造および撮像装置を提供すること。導電性の芯線（４１）と、芯線（４１）の外周を被覆するとともに、先端側に芯線（４１）を露出させる露出部（４２１）を有する第１内部絶縁層（４２ａ）と、露出部（４２１）における芯線（４１）に固定され、第１内部絶縁層（４２ａ）に当接することによって、第１内部絶縁層（４２ａ）に引っ掛けて芯線（４１）を止める掛止部（４５１）と、を備えることによって、ケーブルと回路基板との間の接続の信頼性を向上することができる。
2013108852.tif 000002
【特許請求の範囲】
【請求項１】
導電性の芯線と、
前記芯線の外周を被覆するとともに、先端側に前記芯線を露出させる露出部を有する第１内部絶縁層と、
前記露出部における前記芯線に固定され、前記第１内部絶縁層に当接することによって、前記第１内部絶縁層に引っ掛けて前記芯線を止める第１掛止部と、
を備えたことを特徴とするケーブル。
【請求項２】
前記芯線の先端に設けられて前記露出部の一部を覆う第２内部絶縁層をさらに有し、
前記第１掛止部は、前記第１内部絶縁層と前記第２内部絶縁層との間に嵌合することを特徴とする請求項１に記載のケーブル。
【請求項３】
前記第１内部絶縁層と前記第２内部絶縁層との間に設けられて前記露出部の一部を覆う第３内部絶縁層をさらに有し、
前記第１掛止部は、複数設けられ、前記第１内部絶縁層と前記第３内部絶縁層との間、および前記第２内部絶縁層と前記第３内部絶縁層との間にそれぞれ嵌合することを特徴とする請求項２に記載のケーブル。
【請求項４】
前記第１内部絶縁層の外周を被覆する導電性のシールド線と、
前記シールド線の外周を被覆するとともに、前記シールド線の外周の一部が露出するように刳り貫かれた刳り貫き部を有する外部絶縁層と、
前記シールド線に固定され、前記刳り貫き部に当接することによって前記外部絶縁層に引っ掛けて前記シールド線を止める第２掛止部と、
をさらに備えたことを特徴とする請求項２に記載のケーブル。
【請求項５】
前記第２内部絶縁層は、前記芯線の長手方向に直交する方向であって、該芯線の中心と交差するように形成された孔によって前記芯線を露出し、
前記第１掛止部は、前記孔に挿通するピンであることを特徴とする請求項２に記載のケーブル。
【請求項６】
前記第１掛止部の当該ケーブルが延びる方向に直交する方向の径は、前記第１内部絶縁層の当該ケーブルが延びる方向に直交する方向の径以下であることを特徴とする請求項１〜５のいずれか一つに記載のケーブル。
【請求項７】
導電性の芯線と、該芯線の外周を被覆するとともに、先端側に前記芯線を露出させる露出部を有する第１内部絶縁層と、を少なくとも有するケーブルと、
前記露出部における前記芯線に固定され、前記第１内部絶縁層に当接することによって、前記第１内部絶縁層に引っ掛けて前記芯線を止める第１掛止部と、
前記芯線と電気的に接続される電極を有する回路基板と、
を備えたことを特徴とするケーブル接続構造。
【請求項８】
前記第１掛止部は、前記ケーブルに設けられることを特徴とする請求項７に記載のケーブル接続構造。
【請求項９】
前記ケーブルは、複数設けられ、
複数の前記ケーブルを保持する保持部材を備えたことを特徴とする請求項７に記載のケーブル接続構造。
【請求項１０】
前記第１掛止部は、前記保持部材に設けられることを特徴とする請求項９に記載のケーブル接続構造。
【請求項１１】
前記ケーブルは、複数設けられ、
前記複数のケーブルが隣接した状態において、各ケーブルの前記露出部および前記掛止部は互いに隣接しない位置に設けられていることを特徴とする請求項７に記載のケーブル接続構造。
【請求項１２】
前記ケーブルは、複数設けられ、
前記複数のケーブルが隣接した状態において、各ケーブルの露出部および掛止部は、該各ケーブルの周面のうちケーブル同士の非接触領域の一部に設けられていることを特徴とする請求項７に記載のケーブル接続構造。
【請求項１３】
請求項７〜１２のいずれか一つに記載のケーブル接続構造と、
前記ケーブル接続構造の回路基板に形成された外部電極に接続され、外部から入射した光を電気信号に変換する撮像素子と、
を備えたことを特徴とする撮像装置。
【発明の詳細な説明】
【技術分野】
【０００１】
本発明は、ケーブル、このケーブルを基板に接続するケーブル接続構造およびケーブル接続構造を適用した撮像装置に関する。
【背景技術】
【０００２】
近年、医療用および工業用の内視鏡が広く用いられている。医療用の内視鏡としては、例えば、体内への挿入部の先端にＣＣＤ等の撮像素子を内蔵した撮像装置を備えたものがある。この挿入部を体内に深く挿入することにより、病変部を観察することができ、さらに、必要に応じて処置具を併用することにより、体内の検査や治療をすることもできる。【０００３】
このような内視鏡においては、画像をモニタに映し出すために、撮像素子が撮像した画像情報を電気信号に変換し、信号線を介して信号処理装置に伝送し、この信号処理装置において伝送信号を処理する。内視鏡内の撮像素子と信号処理装置とは、画像信号の伝送、クロック信号の伝送、撮像素子への駆動電源の供給等のため、複数本のケーブルを束ねた集合ケーブルによって接続されている。【０００４】
集合ケーブルの接続に関連する技術として、特許文献１には、複数の同軸ケーブルから成る集合ケーブルを、電極が設けられた回路基板に一括接続する技術が開示されている。この技術では、まず、各同軸ケーブルの先端部を配列ブロックによって固定し、各同軸ケーブルの電線の先端面と配列ブロックの先端面が一致するように研磨処理を施す。そして、この電線の先端面と、電極が設けられた回路基板とを対向させ、異方性導電シートや接続バンプ等を介して両者を接続する。さらに、補強のため、この接続部周辺にエポキシ系の接着剤を塗布して固める。
【先行技術文献】
【特許文献】
【０００５】
【特許文献１】特許第３８６３５８３号公報
【発明の概要】
【発明が解決しようとする課題】
【０００６】
このように、ケーブルの端面と回路基板とを対向させて接続し、さらにその周辺を接着剤で補強することにより、通常の使用状態における接続の確実性を維持することはできる。しかしながら、ケーブルの変形や、ケーブル接続後の他端におけるストリップ加工等により、芯線に引っ張り方向の負荷が作用した場合、芯線のみが抜けるなどして、ケーブル芯線端面と接続バンプの接続が破壊されてしまうおそれがあった。【０００７】
本発明は、上記に鑑みてなされたものであって、ケーブルと回路基板との間の接続の信頼性を向上することができるケーブル、このケーブルを基板に接続するケーブル接続構造および撮像装置を提供することを目的とする。
【課題を解決するための手段】
【０００８】
上述した課題を解決し、目的を達成するために、本発明にかかるケーブルは、導電性の芯線と、前記芯線の外周を被覆するとともに、先端側に前記芯線を露出させる露出部を有する第１内部絶縁層と、前記露出部における前記芯線に固定され、前記第１内部絶縁層に当接することによって、前記第１内部絶縁層に引っ掛けて前記芯線を止める第１掛止部と、を備えたことを特徴とする。【０００９】
また、本発明にかかるケーブルは、上記の発明において、前記芯線の先端に設けられて前記露出部の一部を覆う第２内部絶縁層をさらに有し、前記第１掛止部は、前記第１内部絶縁層と前記第２内部絶縁層との間に嵌合することを特徴とする。【００１０】
また、本発明にかかるケーブルは、上記の発明において、前記第１内部絶縁層と前記第２内部絶縁層との間に設けられて前記露出部の一部を覆う第３内部絶縁層をさらに有し、前記第１掛止部は、複数設けられ、前記第１内部絶縁層と前記第３内部絶縁層との間、および前記第２内部絶縁層と前記第３内部絶縁層との間にそれぞれ嵌合することを特徴とする。【００１１】
また、本発明にかかるケーブルは、上記の発明において、前記第１内部絶縁層の外周を被覆する導電性のシールド線と、前記シールド線の外周を被覆するとともに、前記シールド線の外周の一部が露出するように刳り貫かれた刳り貫き部を有する外部絶縁層と、前記シールド線に固定され、前記刳り貫き部に当接することによって前記外部絶縁層に引っ掛けて前記シールド線を止める第２掛止部と、をさらに備えたことを特徴とする。【００１２】
また、本発明にかかるケーブルは、上記の発明において、前記第２内部絶縁層は、前記芯線の長手方向に直交する方向であって、該芯線の中心と交差するように形成された孔によって前記芯線を露出し、前記第１掛止部は、前記孔に挿通するピンであることを特徴とする。【００１３】
また、本発明にかかるケーブルは、上記の発明において、前記第１掛止部の当該ケーブルが延びる方向に直交する方向の径は、前記第１内部絶縁層の当該ケーブルが延びる方向に直交する方向の径以下であることを特徴とする。【００１４】
また、本発明にかかるケーブル接続構造は、導電性の芯線と、該芯線の外周を被覆するとともに、先端側に前記芯線を露出させる露出部を有する第１内部絶縁層と、を少なくとも有するケーブルと、前記露出部における前記芯線に固定され、前記第１内部絶縁層に当接することによって、前記第１内部絶縁層に引っ掛けて前記芯線を止める第１掛止部と、前記芯線と電気的に接続される電極を有する回路基板と、を備えたことを特徴とする。【００１５】
また、本発明にかかるケーブル接続構造は、上記の発明において、前記第１掛止部は、前記ケーブルに設けられることを特徴とする。【００１６】
また、本発明にかかるケーブル接続構造は、上記の発明において、前記ケーブルは、複数設けられ、複数の前記ケーブルを保持する保持部材を備えたことを特徴とする。【００１７】
また、本発明にかかるケーブル接続構造は、上記の発明において、前記第１掛止部は、前記保持部材に設けられることを特徴とする。【００１８】
また、本発明にかかるケーブル接続構造は、上記の発明において、前記ケーブルは、複数設けられ、前記複数のケーブルが隣接した状態において、各ケーブルの前記露出部および前記掛止部は互いに隣接しない位置に設けられていることを特徴とする。【００１９】
また、本発明にかかるケーブル接続構造は、上記の発明において、前記ケーブルは、複数設けられ、前記複数のケーブルが隣接した状態において、各ケーブルの露出部および掛止部は、該各ケーブルの周面のうちケーブル同士の非接触領域の一部に設けられていることを特徴とする。【００２０】
また、本発明にかかる撮像装置は、上記の発明にかかるケーブル接続構造と、前記ケーブル接続構造の回路基板に形成された外部電極に接続され、外部から入射した光を電気信号に変換する撮像素子と、を備えたことを特徴とする。
【発明の効果】
【００２１】
本発明によれば、芯線に固定され、内部絶縁層に掛け止めされる掛止部を有し、芯線に対して内部絶縁層を掛け止めするようにしたので、ケーブルの変形や、ケーブル接続後の他端におけるストリップ加工等によって芯線に引っ張り方向の負荷が作用した場合であっても、芯線の端面と接続バンプとの接続が破壊されることを防止し、ケーブルと回路基板との間の接続の信頼性を向上することができるという効果を奏する。
【図面の簡単な説明】
【００２２】
【図１】図１は、本発明の実施の形態１にかかる内視鏡装置の全体構成を示す模式図である。
【図２】図２は、図１に示す内視鏡装置の先端部の内部構成を説明する断面図である。
【図３】図３は、本発明の実施の形態１にかかるケーブル接続構造のケーブルを示す斜視図である。
【図４】図４は、本発明の実施の形態１にかかるケーブル接続構造を示す断面図である。
【図５】図５は、本発明の実施の形態１の変形例１−１にかかるケーブル接続構造のケーブルを示す斜視図である。
【図６】図６は、本発明の実施の形態１の変形例１−１にかかるケーブル接続構造のケーブルを示す断面図である。
【図７】図７は、本発明の実施の形態１の変形例１−２にかかるケーブル接続構造のケーブルを示す斜視図である。
【図８】図８は、本発明の実施の形態１の変形例１−２にかかるケーブル接続構造のケーブルを示す断面図である。
【図９】図９は、本発明の実施の形態１の変形例１−３にかかるケーブル接続構造のケーブルを示す斜視図である。
【図１０】図１０は、本発明の実施の形態１の変形例１−３にかかるケーブル接続構造のケーブルを示す断面図である。
【図１１】図１１は、本発明の実施の形態１の変形例１−４にかかるケーブル接続構造のケーブルを示す斜視図である。
【図１２】図１２は、図１１に示すＡ−Ａ線断面を示す断面図である。
【図１３】図１３は、本発明の実施の形態１の変形例１−５にかかるケーブル接続構造のケーブルを示す斜視図である。
【図１４】図１４は、図１３に示すＢ−Ｂ線断面を示す断面図である。
【図１５】図１５は、本発明の実施の形態２にかかるケーブル接続構造のケーブルを示す斜視図である。
【図１６】図１６は、本発明の実施の形態２にかかるケーブル接続構造のケーブルを示す断面図である。
【図１７】図１７は、本発明の実施の形態２の変形例２−１にかかるケーブル接続構造のケーブルを示す斜視図である。
【図１８】図１８は、本発明の実施の形態２の変形例２−１にかかるケーブル接続構造のケーブルを示す断面図である。
【図１９】図１９は、本発明の実施の形態３にかかるケーブル接続構造のケーブルを示す斜視図である。
【図２０】図２０は、本発明の実施の形態３にかかるケーブル接続構造を示す断面図である。
【図２１】図２１は、本発明の実施の形態３の変形例３−１にかかるケーブル接続構造の要部の構成を示す斜視図である。
【図２２】図２２は、本発明の実施の形態３の変形例３−１にかかるケーブル接続構造の要部の構成を示す断面図である。
【図２３】図２３は、本発明の実施の形態３の変形例３−２にかかるケーブル接続構造の要部の構成を示す断面図である。
【図２４】図２４は、本発明の実施の形態３の変形例３−２にかかるケーブル接続構造の要部の構成を示す斜視図である。
【発明を実施するための形態】
【００２３】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。なお、以下の説明では、撮像装置の例として内視鏡装置を説明する。
【００２４】
（実施の形態１）
まず、実施の形態１における内視鏡装置について説明する。図１は、本実施の形態１に係るケーブル接続構造１００を備える内視鏡装置１の概略構成を示す図である。図１に示すように、本実施の形態における内視鏡装置１は、細長な挿入部２と、この挿入部２の基端側であって内視鏡装置操作者が把持する操作部３と、この操作部３の側部より延伸する可撓性のユニバーサルコード４とを備える。ユニバーサルコード４は、ライトガイドケーブルや電気系ケーブルなどを内蔵する。
【００２５】
挿入部２は、ＣＣＤなどの撮像素子を内蔵した先端部５と、複数の湾曲駒によって構成され湾曲自在の湾曲部６と、この湾曲部６の基端側に設けられた長尺であって可撓性を有する可撓管部７とを備える。
【００２６】
ユニバーサルコード４の延伸側端部にはコネクタ部８が設けられており、コネクタ部８には、光源装置に着脱自在に接続されるライトガイドコネクタ９、ＣＣＤなどで光電変換した被写体像の電気信号を信号処理装置や制御装置に伝送するための電気接点部１０、先端部５のノズルに空気を送るための送気口金１１などが設けられている。なお、光源装置は、ハロゲンランプなどが内蔵されたものであり、ハロゲンランプからの光を、ライトガイドコネクタ９を介して接続された内視鏡装置１へ照明光として供給する。また、信号処理装置や制御装置は、撮像素子に電源を供給し、撮像素子から光電変換された電気信号が入力される装置であり、撮像素子によって撮像された電気信号を処理して接続する表示装置に画像を表示させるとともに、撮像素子のゲイン調整などの制御および駆動を行なう駆動信号の出力を行なう。
【００２７】
操作部３には湾曲部６を上下方向および左右方向に湾曲させる湾曲ノブ１２、体腔内に生検鉗子、レーザプローブ等の処置具を挿入する処置具挿入部１３、信号処理装置や制御装置あるいは送気、送水、送ガス手段などの周辺機器の操作を行なう複数のスイッチ１４が設けられている。処置部挿入口に処置具が挿入された内視鏡装置１は、内部に設けられた処置具挿通用チャンネルを経て処置具の先端処置部を突出させ、たとえば生検鉗子によって患部組織を採取する生検などを行なう。
【００２８】
つぎに、内視鏡装置１の先端部の構成を説明する。図２は、図１に示す内視鏡装置１の先端部５の内部構成を説明する断面図である。図２に示すように、内視鏡装置１の挿入部２先端側に位置する先端部５は、先端カバー１５によって先端部が外嵌されている。先端カバー１５には、観察窓１６、図示しない照明レンズ、送気および送水用のノズル１７および鉗子開口部１８が設けられている。観察窓１６には、レンズ１６ａを含む複数のレンズを介して、体腔内を撮像する撮像装置２０が挿嵌されている。また、観察窓１６の後方には、ノズル１７および鉗子開口部１８にそれぞれ対応するように、送気・送水孔２１および鉗子挿通孔２２などが設けられた先端ブロック２３が配設されている。
【００２９】
先端ブロック２３における送気・送水孔２１の後端部には、送気・送水パイプ２４が設けられており、この送気・送水パイプ２４に送気・送水チューブ２５が接続している。鉗子挿通孔２２の後端部には鉗子挿通パイプ２６が設けられており、鉗子挿通パイプ２６に鉗子挿通チューブ２７が接続されている。
【００３０】
撮像装置２０は、複数の光学レンズ２０ａ〜２０ｅによって構成された対物光学ユニット２８と、この対物光学ユニット２８の後方に配置され、対物光学ユニット２８に入射した光を受光するＣＣＤ３０と、このＣＣＤ３０における画像信号を外部装置である信号処理装置に伝送するケーブル接続構造１００と、を有する。
【００３１】
ＣＣＤ３０の受光面側には、カバーガラス３６が設けられており、このカバーガラス３６の外周部には、ＣＣＤ保持枠３７の内周部が嵌合し、接着剤などによって一体的に固定される。そして、ＣＣＤ３０は、たとえば、撮像部を有するＣＣＤチップ３０ａ、パッケージ３０ｂ、フィルタ３０ｃ、ボンディングワイヤ３０ｄ、封止樹脂３０ｅおよび電極３０ｆなどを備える。
【００３２】
ケーブル接続構造１００は、ＣＣＤ３０から受信した画像信号を電気信号に処理するＩＣ３２やチップコンデンサ３３を実装した回路基板３４と、電気信号を外部装置である信号処理装置に伝送する同軸ケーブル３５（ケーブル）と、を備える。
【００３３】
回路基板３４は、両面に電極部が設けられている。回路基板３４の撮像装置２０側には、ＩＣ３２やチップコンデンサ３３を実装した凹部３４ａが設けられている。回路基板３４の撮像装置２０側に設けられた電極は、ＣＣＤ３０の電極３０ｆに接続されている。
【００３４】
ＣＣＤ保持枠３７の後端部には、ＣＣＤ３０および回路基板３４を覆うようにシールド枠３９が設けられている。このシールド枠３９およびＣＣＤ保持枠３７の外周部先端側は、熱収縮チューブ４０によって被覆されている。ＣＣＤ３０は、ＣＣＤ保持枠３７の先端部から同軸ケーブル３５の後端までとなり、撮像装置２０の硬質部は、ＣＣＤ保持枠３７の先端面から熱収縮チューブ４０の後端までとなる。
【００３５】
つぎに、本実施の形態１に係るケーブル接続構造１００について説明する。図３は、本実施の形態１にかかるケーブル接続構造１００の同軸ケーブル３５を示す斜視図である。図４は、本実施の形態１にかかるケーブル接続構造１００を示す断面図である。
【００３６】
同軸ケーブル３５は、銅等からなる導体によって形成された芯線４１と、絶縁体からなり、芯線４１の外周を被覆するとともに、先端側に芯線４１を露出させる露出部４２１を有する第１内部絶縁層４２ａと、芯線４１の先端に設けられて露出部４２１の一部を覆う第２内部絶縁層４２ｂと、第１内部絶縁層４２ａの外周を被覆する導体からなるシールド線４３と、シールド線４３の外周を被覆する絶縁体からなる外部絶縁層４４と、を備える。同軸ケーブル３５は、回路基板３４と接続する側の端部において、第１内部絶縁層４２ａ、シールド線４３および外部絶縁層４４が、段剥き加工されてなる。
【００３７】
回路基板３４には、同軸ケーブル３５と接続する面に電極３４ｂが形成されている。芯線４１と電極３４ｂとは、接続バンプ３４ｃにより固定されて、電気的に接続される。接続バンプ３４ｃは、半田や金（Ａｕ）等の導電性材料によって形成される。
【００３８】
ここで、同軸ケーブル３５は、第１内部絶縁層４２ａと第２内部絶縁層４２ｂとの間の露出部４２１において、芯線４１に固定され、露出部４２１と嵌合し、第１内部絶縁層４２ａに引っ掛けて芯線４１を止める掛止部４５１（第１掛止部）を有する。掛止部４５１は、メッキ処理によって、第１内部絶縁層４２ａと第２内部絶縁層４２ｂと（露出部４２１）が形成する内部空間に充填されることによって形成される。このとき、掛止部４５１の同軸ケーブル３５が延びる方向に直交する方向の径は、第１内部絶縁層４２ａの同軸ケーブル３５が延びる方向に直交する方向の径以下であることが好ましい。また、掛止部４５１は、ニッケル等の導電性材料からなる。なお、掛止部４５１は、メッキ処理によるもののほか、導電ペーストの塗布や、芯線４１に対して接着剤によって固定されるものであってもよい。また、掛止部４５１は、エポキシ樹脂などの非導電性材料でも良い。
【００３９】
同軸ケーブル３５は、ケーブルの変形や、ケーブル接続後の他端におけるストリップ加工等によって芯線に引っ張り方向の負荷が作用した場合であっても、芯線４１と連結した掛止部４５１が、第１内部絶縁層４２ａの端面に当接しているため、第１内部絶縁層４２ａに対して芯線４１がずれることはない。これにより、ケーブルの変形や、ケーブル接続後の他端におけるストリップ加工等によって芯線に引っ張り方向の負荷が作用した場合であっても、芯線４１の端面と接続バンプとの接続が破壊されることを防止することが可能となる。
【００４０】
上述した実施の形態１によれば、同軸ケーブル３５が、芯線４１に固定され、第１内部絶縁層４２ａに掛け止めされる掛止部４５１を有することによって、ケーブルの変形や、ケーブル接続後の他端におけるストリップ加工等によって芯線４１に引っ張り方向の負荷が作用した場合であっても、芯線４１の端面と接続バンプとの接続が破壊されることを防止し、ケーブルと回路基板との間の接続の信頼性を向上することができる。
【００４１】
図５は、本実施の形態１の変形例１−１にかかるケーブル接続構造の同軸ケーブル３５ａを示す斜視図である。図６は、本実施の形態１の変形例１−１にかかるケーブル接続構造の同軸ケーブル３５ａを示す断面図である。上述した実施の形態１では、掛止部が設けられる空間が１箇所であるものとして説明したが、変形例１−１のように、掛止部が複数設けられていてもよい。
【００４２】
図５，６に示す同軸ケーブル３５ａは、第１内部絶縁層４２ｃと第２内部絶縁層４２ｄとの間に設けられて露出部の一部を覆う第３内部絶縁層４２ｅを有する。これにより、第１内部絶縁層４２ｃと第３内部絶縁層４２ｅとの間および第２内部絶縁層４２ｄと第３内部絶縁層４２ｅとの間にそれぞれ露出部４２２，４２３が形成される。また、同軸ケーブル３５ａは、芯線４１に固定され、露出部４２２，４２３にそれぞれ嵌合し、第１内部絶縁層４２ｃおよび第３内部絶縁層４２ｅに引っ掛けて芯線４１を止める掛止部４５２，４５３（第１掛止部）を有する。掛止部４５２，４５３は、掛止部４５１と同様、メッキ処理によって、露出部４２２，４２３が形成する内部空間にそれぞれ充填されることによって形成される。また、掛止部４５２，４５３は、ニッケル（Ｎｉ）等の導電性材料からなる。
【００４３】
上述した変形例１−１によれば、複数の掛止部４５２，４５３を設けることで、芯線４１の引っ張り方向への力を受ける面積を増やし、芯線４１にかかる引っ張り方向の負荷に対する接続強度を増すことができる。
【００４４】
図７は、本実施の形態１の変形例１−２にかかるケーブル接続構造の同軸ケーブル３５ｂを示す斜視図である。図８は、本実施の形態１の変形例１−２にかかるケーブル接続構造の同軸ケーブル３５ｂを示す断面図である。上述した実施の形態１では、露出部が内部絶縁層に設けられているものとして説明したが、変形例１−２のように、露出部と同等の構成を有する刳り貫き部が外部絶縁層に設けられるものであってもよい。
【００４５】
図７，８に示す同軸ケーブル３５ｂは、上述した露出部４２１と、外部絶縁層４４ａに設けられ、シールド線４３の外周が露出するように刳り貫かれた刳り貫き部４４１とが形成されている。また、同軸ケーブル３５ｂは、上述した掛止部４５１と、シールド線４３に固定され、刳り貫き部４４１に嵌合し、外部絶縁層４４ａに引っ掛けてシールド線４３を止める掛止部４５４（第２掛止部）とを有する。掛止部４５４は、掛止部４５１と同様、メッキ処理によって、刳り貫き部４４１が形成する内部空間にそれぞれ充填されることによって形成される。また、掛止部４５４は、ニッケル（Ｎｉ）等の導電性材料からなる。
【００４６】
上述した変形例１−２によれば、掛止部４５１による芯線４１のずれ防止のほか、芯線４１のケーブルの変形や、ケーブル接続後の他端におけるストリップ加工等によって芯線に引っ張り方向の負荷が作用した場合であっても、シールド線４３と連結した掛止部４５４が、外部絶縁層４４ａの刳り貫き部４４１の壁面に当接しているため、外部絶縁層４４ａに対してシールド線４３がずれることはない。これにより、ケーブルの変形や、ケーブル接続後の他端におけるストリップ加工等によって芯線に引っ張り方向の負荷が作用した場合であっても、芯線４１やシールド線４３の端面と接続バンプとの接続が破壊されることを防止するとともに、シールド線４３と外部絶縁層４４ａとのずれを防止して安定した接続状態を維持することが可能となる。
【００４７】
図９は、本実施の形態１の変形例１−３にかかるケーブル接続構造の同軸ケーブル３５ｃを示す斜視図である。図１０は、本実施の形態１の変形例１−３にかかるケーブル接続構造の同軸ケーブル３５ｃを示す断面図である。上述した実施の形態１では、露出部および掛止部がケーブル側面の全周に設けられているものとして説明したが、変形例１−３のように、露出部および掛止部が周面に対して一部に設けられるものであってもよい。
【００４８】
図９，１０に示す同軸ケーブル３５ｃは、芯線４１の外周を被覆する第１内部絶縁層４２ｆと、第１内部絶縁層４２ｆの同軸ケーブル３５ｃの先端側の端部から延び、芯線４１の外周を被覆する第２内部絶縁層４２ｇと、を有する。第２内部絶縁層４２ｇは、長手方向に直交する方向であって、第２内部絶縁層４２ｇの長手方向の中心軸と交差するように刳り貫かれた露出部４２４が形成されている。また、同軸ケーブル３５ｃは、芯線４１および露出部４２４に挿通され、第２内部絶縁層４２ｇの一部を介して第１内部絶縁層４２ｆに引っ掛けて芯線４１を止めるピン４６（第１掛止部）を有する。ここで、ピン４６の挿通方向に直交する方向の径は、芯線４１の径より小さい。このとき、芯線４１が、複数の導線がまとめられて形成されている場合は、各導線間にピン４６が挿通される。また、芯線４１が単線である場合は、ピン４６を挿通する孔が設けられていることが好ましい。なお、ピン４６は、銅（Ｃｕ）等の導電性材料や、樹脂等の絶縁性材料からなる。
【００４９】
図１１は、本実施の形態１の変形例１−４にかかるケーブル接続構造の同軸ケーブル３５ｄを示す斜視図である。図１２は、図１１に示すＡ−Ａ線断面を示す断面図である。上述した実施の形態１では、露出部に応じた掛止部が設けられているものとして説明したが、変形例１−４のように、芯線４１に固定される掛止部材を第１内部絶縁層の端面に当接させるものであってもよい。
【００５０】
図１１，１２に示す同軸ケーブル３５ｄは、芯線４１の外周を被覆するとともに、先端側に芯線４１を露出させる露出部４２５を有する第１内部絶縁層４２ｈの端面に当接して設けられ、芯線４１に固定されて第１内部絶縁層４２ｈに引っ掛けて芯線４１を止める掛止部材４７（第１掛止部）を有する。掛止部材４７は、略Ｃ字状をなし、Ｃ字の上下方向から荷重が加わった場合に、両端が接触した環状の内部空間の直径が、芯線４１の直径より小さい（図１２参照）。これにより、掛止部材４７は、第１内部絶縁層４２ｈの端面に当接した状態で、芯線４１をカシメて固定する。なお、掛止部材４７は、銅（Ｃｕ）、アルミニウム（Ａｌ）等の導電性材料や、樹脂等の絶縁性材料からなる。
【００５１】
また、図１３は、本実施の形態１の変形例１−５にかかるケーブル接続構造の同軸ケーブル３５ｅを示す斜視図である。図１４は、図１３に示すＢ−Ｂ線断面を示す断面図である。図１３，１４に示す同軸ケーブル３５ｅは、第１内部絶縁層４２ｈの端面に当接して設けられ、芯線４１に固定されて第１内部絶縁層４２ｈに引っ掛けて芯線４１を止める掛止部材４８（第１掛止部）を有する。掛止部材４８は、略柱状をなして芯線４１に固定されている。なお、掛止部材４８は、ニッケル（Ｎｉ）等の導電性材料や、樹脂等の絶縁性材料からなる。
【００５２】
上述した変形例１−４，１−５によれば、第１内部絶縁層４２ｈの端面に当接した位置で芯線４１に掛止部材を固定することによって、芯線４１のケーブルの変形や、ケーブル接続後の他端におけるストリップ加工等によって芯線４１に対して引っ張り方向（第１内部絶縁層４２ｈ内部に引き込まれる方向）の負荷が作用した場合であっても、第１内部絶縁層４２ｈに対して芯線４１がずれることはない。これにより、ケーブルの変形や、ケーブル接続後の他端におけるストリップ加工等によって芯線に引っ張り方向の負荷が作用した場合であっても、芯線４１の端面と接続バンプとの接続が破壊されることを防止することが可能となる。
【００５３】
（実施の形態２）
次に、実施の形態２について説明する。実施の形態２においては、複数の同軸ケーブルを有する場合について説明する。なお、図３等で上述したものと同じ構成要素には同じ符号を付してある。図１５は、本実施の形態２にかかるケーブル接続構造の同軸ケーブル３５１，３５２（ケーブル群３５ｆ）を示す斜視図である。図１６は、本実施の形態２にかかるケーブル接続構造の同軸ケーブル３５１，３５２（ケーブル群３５ｆ）を示す断面図である。
【００５４】
ケーブル群３５ｆは、複数（本実施の形態２では２本）の同軸ケーブル３５１，３５２からなり、２つの同軸ケーブル３５１，３５２が合わせられた状態で、回路基板と接触する。
【００５５】
同軸ケーブル３５１は、導体によって形成された芯線４１と、絶縁体からなり、芯線４１の外周を被覆するとともに、先端側に芯線４１を露出させる露出部４２６を有する第１内部絶縁層４２ｉと、芯線４１の先端に設けられて露出部４２６の一部を覆う第２内部絶縁層４２ｊと、第１内部絶縁層４２ｉの外周を被覆する導体からなるシールド線４３と、シールド線４３の外周を被覆する絶縁体からなる外部絶縁層４４と、を備える。同軸ケーブル３５１は、回路基板３４と接続する側の端部において、第１内部絶縁層４２ｉ、シールド線４３および外部絶縁層４４が、段剥き加工されてなる。
【００５６】
ここで、同軸ケーブル３５１は、第１内部絶縁層４２ｉと第２内部絶縁層４２ｊとの間の露出部４２６において、芯線４１に固定され、露出部４２６と嵌合し、第１内部絶縁層４２ｉに引っ掛けて芯線４１を止める掛止部４５５（第１掛止部）を有する。掛止部４５５は、メッキ処理によって、露出部４２６が形成する内部空間に充填されることによって形成される。このとき、掛止部４５５の同軸ケーブル３５１が延びる方向に直交する方向の径は、第１内部絶縁層４２ｉの同軸ケーブル３５１が延びる方向に直交する方向の径以下であることが好ましい。また、掛止部４５５は、ニッケル（Ｎｉ）等の導電性材料からなる。
【００５７】
同軸ケーブル３５２は、導体によって形成された芯線４１と、絶縁体からなり、芯線４１の外周を被覆するとともに、先端側に芯線４１を露出させる露出部４２７を有する第１内部絶縁層４２ｋと、芯線４１の先端に設けられて露出部４２７の一部を覆う第２内部絶縁層４２ｌと、第１内部絶縁層４２ｋの外周を被覆する導体からなるシールド線４３と、シールド線４３の外周を被覆する絶縁体からなる外部絶縁層４４と、を備える。同軸ケーブル３５２は、回路基板３４と接続する側の端部において、第１内部絶縁層４２ｋ、シールド線４３および外部絶縁層４４が、段剥き加工されてなる。
【００５８】
ここで、同軸ケーブル３５２は、第１内部絶縁層４２ｋと第２内部絶縁層４２ｌとの間の露出部４２７において、芯線４１に固定され、露出部４２７と嵌合し、第１内部絶縁層４２ｋに引っ掛けて芯線４１を止める掛止部４５６（第１掛止部）を有する。掛止部４５６は、メッキ処理によって、露出部４２７が形成する内部空間に充填されることによって形成される。このとき、掛止部４５６の同軸ケーブル３５２が延びる方向に直交する方向の径は、第１内部絶縁層４２ｋの同軸ケーブル３５２が延びる方向に直交する方向の径以下であることが好ましい。また、掛止部４５６は、ニッケル（Ｎｉ）等の導電性材料からなる。
【００５９】
２つの同軸ケーブル３５１，３５２が隣接した状態において、露出部４２６および掛止部４５５と、露出部４２７および掛止部４５６とは、隣接しない位置に設けられている。具体的には、露出部４２６の後端と、露出部４２７の先端とは、同軸ケーブル３５１，３５２の先端からの距離が異なっている。これにより、同軸ケーブル３５１，３５２が接触した状態において、掛止部４５５と掛止部４５６とは接触しない。
【００６０】
上述した実施の形態２によれば、複数の同軸ケーブル３５１，３５２が、芯線４１に固定され、第１内部絶縁層４２ｉ，４２ｋに掛け止めされる掛止部４５５，４５６が異なる位置に設けられることによって、ケーブルの変形や、ケーブル接続後の他端におけるストリップ加工等によって芯線に引っ張り方向の負荷が作用した場合であっても、芯線４１の端面と接続バンプとの接続が破壊されることを防止し、ケーブルと回路基板との間の接続の信頼性を向上することができる。
【００６１】
図１７は、本実施の形態２の変形例２−１にかかるケーブル接続構造の同軸ケーブル３５３，３５４（ケーブル群３５ｇ）を示す斜視図である。図１８は、本実施の形態２の変形例２−１にかかるケーブル接続構造の同軸ケーブル３５３，３５４（ケーブル群３５ｇ）を示す断面図である。上述した実施の形態２では、露出部および掛止部がケーブル側面の全周に設けられているものとして説明したが、変形例２−１のように、露出部および掛止部が周面に対して一部に設けられるものであってもよい。
【００６２】
同軸ケーブル３５３は、導体によって形成された芯線４１と、絶縁体からなり、芯線４１の外周を被覆する第１内部絶縁層４２ｍと、芯線４１の外周を被覆するとともに、外表面の周方向の一部に芯線４１を露出させる露出部４２８を有する第２内部絶縁層４２ｎと、第１内部絶縁層４２ｍの外周を被覆する導体からなるシールド線４３と、シールド線４３の外周を被覆する絶縁体からなる外部絶縁層４４と、を備える。同軸ケーブル３５３は、回路基板３４と接続する側の端部において、第１内部絶縁層４２ｍ、シールド線４３および外部絶縁層４４が、段剥き加工されてなる。
【００６３】
ここで、同軸ケーブル３５３は、第１内部絶縁層４２ｍと第２内部絶縁層４２ｎとの間の露出部４２８において、芯線４１に固定され、露出部４２８と嵌合し、第１内部絶縁層４２ｍに引っ掛けて芯線４１を止める掛止部４５７（第１掛止部）を有する。掛止部４５７は、メッキ処理によって、露出部４２８が形成する内部空間に充填されることによって形成される。このとき、掛止部４５７の同軸ケーブル３５３が延びる方向に直交する方向の径は、第１内部絶縁層４２ｍの同軸ケーブル３５３が延びる方向に直交する方向の径以下であることが好ましい。また、掛止部４５７は、ニッケル（Ｎｉ）等の導電性材料からなる。
【００６４】
同軸ケーブル３５４は、導体によって形成された芯線４１と、絶縁体からなり、芯線４１の外周を被覆する第１内部絶縁層４２ｏと、芯線４１の外周を被覆するとともに、外表面の周方向の一部に芯線４１を露出させる露出部４２９を有する第２内部絶縁層４２ｐと、第１内部絶縁層４２ｏの外周を被覆する導体からなるシールド線４３と、シールド線４３の外周を被覆する絶縁体からなる外部絶縁層４４と、を備える。同軸ケーブル３５４は、回路基板３４と接続する側の端部において、第１内部絶縁層４２ｏ、シールド線４３および外部絶縁層４４が、段剥き加工されてなる。
【００６５】
ここで、同軸ケーブル３５４は、第１内部絶縁層４２ｏと第２内部絶縁層４２ｐとの間の露出部４２９において、芯線４１に固定され、露出部４２９と嵌合し、第１内部絶縁層４２ｏに引っ掛けて芯線４１を止める掛止部４５８（第１掛止部）を有する。掛止部４５８は、メッキ処理によって、露出部４２９が形成する内部空間に充填されることによって形成される。このとき、掛止部４５８の同軸ケーブル３５４が延びる方向に直交する方向の径は、第１内部絶縁層４２ｏの同軸ケーブル３５４が延びる方向に直交する方向の径以下であることが好ましい。また、掛止部４５８は、ニッケル（Ｎｉ）等の導電性材料からなる。
【００６６】
ケーブル群３５ｇは、第２内部絶縁層４２ｎ，４２ｐの露出部４２８，４２９の非配設面同士が接触するように同軸ケーブル３５３，３５４を合わせることによって形成される。これにより、第２内部絶縁層４２ｎ，４２ｐが隣接しており、なおかつ露出部４２８，４２９の同軸ケーブル先端からの距離が等しい場合でも、掛止部４５７，４５８とは接触しない。
【００６７】
これにより、刳り貫き部および掛止部を周方向の一部に配設することによって、上述した実施の形態２のように、異なる配設位置に刳り貫き部を形成することによる同軸ケーブルの長手方向の延伸を抑えるとともに、ケーブルの変形や、ケーブル接続後の他端におけるストリップ加工等によって芯線に引っ張り方向の負荷が作用した場合であっても、芯線４１の端面と接続バンプとの接続が破壊されることを防止し、ケーブルと回路基板との間の接続の信頼性を向上することができる。
【００６８】
（実施の形態３）
次に、実施の形態３について説明する。実施の形態３においては、複数の同軸ケーブル３５を有する場合について説明する。なお、図３等で上述したものと同じ構成要素には同じ符号を付してある。図１９は、本実施の形態３にかかるケーブル接続構造１００ａを示す斜視図である。図２０は、本実施の形態３にかかるケーブル接続構造１００ａを示す断面図である。
【００６９】
図１９，２０に示すケーブル接続構造１００ａは、上述した回路基板３４および複数の同軸ケーブル３５と、同軸ケーブル３５の一部を保持する保持部材５０と、を備える。保持部材５０は、同軸ケーブル３５の端面が揃うように同軸ケーブル３５を保持するとともに、各同軸ケーブル３５の接続先の電極３４ｂの配設位置と対応するように同軸ケーブル３５を保持する。
【００７０】
また、ケーブル接続構造１００ａには、回路基板３４と保持部材５０との間において、接続バンプ３４ｃの接続強度を補助するため、絶縁性材料からなり、電極３４ｂおよび接続バンプ３４ｃを覆う補強部材５１が設けられている。
【００７１】
上述した実施の形態３によれば、複数の同軸ケーブル３５が、芯線４１に固定され、第１内部絶縁層４２ａに掛け止めされる掛止部４５１を有するとともに、複数の同軸ケーブル３５を保持する保持部材５０を設けることによって、ケーブルの変形や、ケーブル接続後の他端におけるストリップ加工等によって芯線に引っ張り方向の負荷が作用した場合であっても、芯線４１の端面と接続バンプとの接続が破壊されることを一層確実に防止し、ケーブルと回路基板との間の接続の信頼性を向上することができる。さらに、保持部材５０により複数の同軸ケーブル３５の位置を固定することで、回路基板３４と複数の同軸ケーブル３５との接続作業をしやすくすることもできる。また、保持部材５０や掛止部４５１を樹脂材によって構成することもでき、この場合、保持部材５０と掛止部４５１を一体の樹脂材とすることもできる。
【００７２】
図２１は、本実施の形態３の変形例３−１にかかるケーブル接続構造の要部の構成を示す斜視図である。図２２は、本実施の形態３の変形例３−１にかかるケーブル接続構造の要部の構成を示す断面図である。
【００７３】
図２１，２２に示すように、変形例３−１にかかるケーブル接続構造は、同軸ケーブル３５に代えて、回路基板３４に接続する複数の同軸ケーブル３５ｈと、保持部材５０に代えて同軸ケーブル３５ｈの一部を保持する保持部材５２と、を備える。保持部材５２は、同軸ケーブル３５ｈの端面が揃うように同軸ケーブル３５ｈを保持するとともに、各同軸ケーブル３５ｈの接続先の電極の配設位置と対応するように同軸ケーブル３５ｈを保持する。
【００７４】
また、保持部材５２には、露出部４２１に応じて突出して設けられ、突出先端面が芯線４１に固定され、露出部４２１に嵌合することによって、第１内部絶縁層４２ａに引っ掛けて芯線４１を止める掛止部５２ａ（第１掛止部）が形成されている。
【００７５】
上述した変形例３−１のように、保持部材５２が、芯線４１に固定され、第１内部絶縁層４２ａに掛け止めされる掛止部５２ａを有する構成であっても適用可能であり、これにより、ケーブルの変形や、ケーブル接続後の他端におけるストリップ加工等によって芯線に引っ張り方向の負荷が作用した場合であっても、芯線４１やシールド線４３の端面と接続バンプとの接続が破壊されることを防止し、ケーブルと回路基板との間の接続の信頼性を向上することができる。
【００７６】
図２３は、本実施の形態３の変形例３−２にかかるケーブル接続構造の要部の構成を示す断面図である。図２４は、本実施の形態３の変形例３−２にかかるケーブル接続構造の要部の構成を示す斜視図である。図２３に示す変形例３−２のように、第２内部絶縁層４２ｂを設けずに、上述した変形例３−１の保持部材５２に代えて、第１内部絶縁層４２ｑおよび外部絶縁層４４ｂに引っ掛けて芯線４１およびシールド線４３ａを止める掛止部（第１および第２掛止部）が形成された保持部材５３を用いてもよい。また、図２３では、シールド線４３ａと電極３４ｄとが、接続バンプ３４ｅにより固定され、電気的に接続されている。
【００７７】
ここで、外部絶縁層４４ｂには、先端においてシールド線４３ａの露出長が異なるように刳り貫かれた刳り貫き部４４２が形成されている。シールド線４３ａは、先端において、一部の側面が内部絶縁層４２ｑを露出するように形成されている。また、内部絶縁層４２ｑには、シールド線４３ａによって露出された部分において芯線４１を露出させる露出部４２１０が形成されている。
【００７８】
このとき、保持部材５３には、芯線４１およびシールド線４３ａに固定され、第１内部絶縁層４２ｑ（露出部４２１０）および外部絶縁層４４ｂ（刳り貫き部４４２）の一部に引っ掛けて芯線４１およびシールド線４３ａを止める掛止部５３ａと、シールド線４３ａに固定され、外部絶縁層４４ｂ（刳り貫き部４４２）の一部に引っ掛けてシールド線４３ａを止める掛止部５３ｂ（第２掛止部）と、が形成されている。なお、掛止部５３ａは、第１および第２掛止部にかかる両方の機能を担っている。
【００７９】
上述した変形例３−２のように、保持部材５３が、芯線４１に固定され、第１内部絶縁層４２ｑや外部絶縁層４４ｂに掛け止めされる掛止部５３ａ，５３ｂを有する構成であっても適用可能であり、これにより、ケーブルの変形や、ケーブル接続後の他端におけるストリップ加工等によって芯線に引っ張り方向の負荷が作用した場合であっても、芯線４１やシールド線４３の端面と接続バンプとの接続が破壊されることを防止し、ケーブルと回路基板との間の接続の信頼性を向上することができる。
【００８０】
なお、本明細書において「刳り貫く」とは、図２３に示す同軸ケーブル３５ｉのように芯線４１の外周の一部を露出させることも含んでいる。
【００８１】
なお、上述した実施の形態では、掛止部が導電性材料からなるものとして説明したが、樹脂等の絶縁性材料からなるものであっても適用可能であり、この場合は、同軸ケーブルの接触において掛止部同士が接触するものであってもよいし、また、シールド線が掛止部の外周を被覆していても良い。さらに、この場合、シールド線は、第２内部絶縁層や第３内部絶縁層の外周までも被覆することが可能である。
【００８２】
また、本実施の形態１〜３においては、同軸ケーブルを例に説明したが、もちろん、シールド線の芯線のみからなる非同軸ケーブルなどにも適用可能である。
【００８３】
また、本実施の形態１〜３においては、内視鏡装置の挿入具の先端部に搭載される撮像ユニットを例に説明したが、もちろん、デジタルカメラおよびデジタルビデオカメラを始め、撮像機能を備えた携帯電話機など、各種態様の電子撮像モジュールに適用可能である。
【産業上の利用可能性】
【００８４】
以上のように、本発明にかかるケーブル、このケーブルを基板に接続するケーブル接続構造および撮像装置は、ケーブルと回路基板との間の接続の信頼性を向上することに有用である。
【符号の説明】
【００８５】
１  内視鏡装置
２  挿入部
５  先端部
２０  撮像装置
３０  ＣＣＤ
３４  回路基板
３４ａ  凹部
３４ｂ，３４ｄ  電極
３４ｃ，３４ｅ  接続バンプ
３５，３５ａ，３５ｂ，３５ｃ，３５ｄ，３５ｅ，３５ｈ，３５ｉ，３５１，３５２，３５３，３５４  同軸ケーブル
３５ｆ，３５ｇ  ケーブル群
４１  芯線
４２ａ，４２ｃ，４２ｆ，４２ｈ，４２ｉ，４２ｋ，４２ｍ，４２ｏ，４２ｑ  第１内部絶縁層
４２ｂ，４２ｄ，４２ｇ，４２ｊ，４２ｌ，４２ｎ，４２ｐ  第２内部絶縁層
４２ｅ  第３内部絶縁層
４３，４３ａ  シールド線
４４，４４ａ，４４ｂ  外部絶縁層
４６  ピン
４７，４８  掛止部材
５０，５２，５３  保持部材
５１  補強部材
５２ａ，５３ａ，５３ｂ，４５１，４５２，４５３，４５４，４５５，４５６  掛止部
４２１，４２２，４２３，４２４，４２５，４２７，４２８，４２９，４２１０  露出部
４４１，４４２  刳り貫き部
１００  ケーブル接続構造
【図１】
2013108852.tif 000003
【図２】
2013108852.tif 000004
【図３】
2013108852.tif 000005
【図４】
2013108852.tif 000006
【図５】
2013108852.tif 000007
【図６】
2013108852.tif 000008
【図７】
2013108852.tif 000009
【図８】
2013108852.tif 000010
【図９】
2013108852.tif 000011
【図１０】
2013108852.tif 000012
【図１１】
2013108852.tif 000013
【図１２】
2013108852.tif 000014
【図１３】
2013108852.tif 000015
【図１４】
2013108852.tif 000016
【図１５】
2013108852.tif 000017
【図１６】
2013108852.tif 000018
【図１７】
2013108852.tif 000019
【図１８】
2013108852.tif 000020
【図１９】
2013108852.tif 000021
【図２０】
2013108852.tif 000022
【図２１】
2013108852.tif 000023
【図２２】
2013108852.tif 000024
【図２３】
2013108852.tif 000025
【図２４】
2013108852.tif 000026
【国際調査報告】
2013108852.tif 000027
2013108852.tif 000028
2013108852.tif 000029
2013108852.tif 000030
2013108852.tif 000031
2013108852.tif 000032
2013108852.tif 000033
2013108852.tif 000034
2013108852.tif 000035
2013108852.tif 000036
2013108852.tif 000037